(57)【特許請求の範囲】
【請求項１】
複数本の表示用電極が形成された一対の基板と、
支柱の役割を果たすスペーサが含まれており、上記一対の基板の電極形成面を対向させて接続するためのシールと、
上記一対の基板とシールとで囲まれた空間に液晶を封入して形成された液晶層と、
上記液晶層の厚みを表示エリア内で均一化させるために上記一対の基板上に形成されたダミー電極とを有し、
上記一対の基板に形成された対向する表示用電極は、線幅および電極ピッチが異なり、
上記表示用電極およびダミー電極は、上記シール上の４辺に介在すると共に、上記表示用電極は、走査電極から上記シール部分を超えて延設された延設電極を有しており、
互いに対向する電極が重なり合う領域の面積の上記シールにおける占有率を示す重なり率が上記シール上の４辺でほぼ同じになるように、上記延設電極および上記ダミー電極の線幅が上記走査電極の線幅より狭く形成されていることを特徴とする液晶表示装置。
【請求項２】
上記表示エリア内からの表示用電極の電極引回し部は、
外部回路との接続端子に対応するように複数のブロックに分割され、かつ、各ブロックの電極引回し部の電極が、表示エリア側よりも外部回路との接続端子側の方が配置密度が高くなるように形成されるとともに、
上記一対の基板上に形成された表示用電極およびダミー電極のうち、表示エリア内の表示用電極および外部回路との接続端子に平行に形成された領域のシール上において対向する電極の重なり合う領域の面積の上記シールにおける占有率を示す重なり率と、上記領域以外のシール上において対向する電極の重なり合う領域の面積の上記シールにおける占有率を示す重なり率とが、上記４辺でほぼ同じになるように形成されていることを特徴とする請求項１に記載の液晶表示装置。
【請求項３】
上記ダミー電極は、表示用電極間に形成される電極間ダミー電極と、これら表示用電極および電極間ダミー電極が形成された基板の対向基板上に形成される２重ダミー電極とを含み、
上記２重ダミー電極が、上記基板上の表示用電極および電極間ダミー電極に対向して形成されることを特徴とする請求項１または２記載の液晶表示装置。
【請求項４】
上記２重ダミー電極は、その線幅が対向する表示用電極および電極間ダミー電極の線幅と異なるように形成されていることを特徴とする請求項３記載の液晶表示装置。
【請求項５】
上記重なり率が、対向する表示用電極と２重ダミー電極の重なり率と、対向する電極間ダミー電極と２重ダミー電極の重なり率との和であることを特徴とする請求項３または４記載の液晶表示装置。
【請求項６】
上記重なり率は、対向する電極の重なり部分のピッチに対する線幅の割合であることを特徴とする請求項１ないし５の何れかに記載の液晶表示装置。
【請求項７】
上記液晶表示装置の表示用電極およびダミー電極は、シール上の４辺に介在し、このシール上での上記電極が専有する割合を示す介在率が４辺でほぼ同じになるように形成されていることを特徴とする請求項１ないし６の何れかに記載の液晶表示装置。
【発明の詳細な説明】
【０００１】
【発明の属する技術分野】
本発明は、液晶層の厚みを均一化するためのダミー電極を有する液晶表示装置に関するものである。
【０００２】
【従来の技術】
近年、表示媒体として液晶を用いた表示装置として液晶表示装置が広く用いられている。液晶表示装置は、例えば図２８に示すように、表面に複数本の表示用上側電極１０３…が設けられた上ガラス１０１と、表面に複数本の表示用下側電極１０４…が設けられた下ガラス１０２とが、シール１０５を介して互いの電極が直交するように対向配置され、上記各ガラス１０１・１０２とシール１０５とで囲まれた空間に液晶を封入して液晶層１０６が形成された液晶セルを有している。
【０００３】
上記構成の液晶表示装置では、表示用下側電極１０４…の端子部１０４ａの形成側と反対側がシール１０５の内側に配設されている。このため、上ガラス１０１の表示用上側電極１０３…の形成部分と下ガラス１０２の表示用下側電極１０４…の形成部分との間隔ｄ２と、表示用上側電極１０３・表示用下側電極１０４の未形成部分のガラス１０１・１０２の間隔ｄ１とが異なる。つまり、上記の液晶表示装置のガラス１０１・１０２の電極形成部分と未形成部分とで、液晶層１０６に厚みの差が生じることになる。
【０００４】
このように、液晶層１０６に厚みの差が生じると、表示用上側電極１０３および表示用下側電極１０４に電圧を印加していないときの表示画面の色が、液晶層１０６の厚みによって変化するので、表示画面に色ムラが生じることになる。
【０００５】
また、近年においては、液晶表示装置、特にＳＴＮ（Super Twisted Nematic)型カラー液晶表示装置において、表示品位の向上が強く望まれている。特に、ＳＴＮ型カラー液晶表示装置において、画像表示の中間調で見られるシール近傍の色ムラの改善が望まれている。
【０００６】
このような表示画面におけるシール近傍の色ムラを低減させるための技術として種々の技術が提案されている。例えば特開昭６２−２２９２３４号公報には、表示用電極が形成されていない基板に、表示用電極と同じ厚みのダミー電極を形成することにより液晶層の厚みに差が生じることを防止し、表示画面の色ムラを低減している「液晶表示装置」が開示されている。
【０００７】
また、実開平１−８５７７９号公報には、図２９に示すように、セグメント電極基板１１１上に形成されたセグメント電極１１３の端子引出し部１１３ａのパターン幅がコモン電極基板１１２の端子部（図示しない）から遠くなるにしたがって徐々に太くなり、この端子引出し部１１３ａのパターン幅が細い部分のパターン間にダミーパターン１１４が形成された「液晶表示パネル」が開示されている。
【０００８】
さらに、特開平６−５１３３２号公報には、図３０に示すように、画面周辺部のシール１２５上の上ガラス１２１の信号電極１２３が無い部分に上側ダミー電極１２６が形成されるとともに、下ガラス１２２の走査電極１２４が無い部分に下側ダミー電極１２７が形成された「液晶表示装置」が開示されている。
【０００９】
また、特開平３−２１１５２４号公報には、図３１に示すように、表面にセグメント電極１３３が形成された上側電極基板１３１と、表面にコモン電極１３４が形成された下側電極基板１３２とが、電極形成面を対向するようにシール材１３５を介して配置され、こらら各基板１３１・１３２の封入口側１３６に形成された封入口１３７から液晶を封入してなる「液晶表示素子」が開示されている。この液晶表示素子では、液晶の封入口側１３６のシール材１３５に対応した部分にダミー用電極１３８が形成されている。
【００１０】
上記の何れの公報においても、表示画面の液晶層の厚みに影響を与えるであろう部分に、ダミーパターン１１４、上下側ダミー電極１２６・１２７、ダミー用電極１３８等が形成されているので、画面の表示エリアとその周辺部との液晶層の厚みの差を低減するようになり、表示画面のシール近傍の色ムラの改善を図るようになっている。
【００１１】
このように、表示画面のシール近傍の色ムラ改善のために、上述した各公報における技術を応用した液晶表示装置が製品化されている。このような液晶表示装置としては、例えば図３２に示すように、信号電極基板１４１と走査電極基板１４２とがシール１４５を介して対向配置され、表示エリア内に配設されたシール１４５近傍の信号電極（図示せず）の信号電極引回し部１４３および走査電極（図示せず）の走査電極引回し部１４４が外部回路との接続端子に対応するように、複数のブロックに分割されたものがある。
【００１２】
上記構成の液晶表示装置の場合、各電極引回し部１４３・１４４は、表示エリア側の電極の配置密度よりも外部回路の接続端子側の電極の配置密度の方が高くなるように設計されている。そして、この電極の設計に基づいて、電極引回し部１４３・１４４の電極間のダミー電極、あるいはこれら各電極引回し部１４３・１４４に対向するように２重ダミー電極が設計されることで、表示エリアのシール１４５近傍の色ムラを改善するようになっている。
【００１３】
【発明が解決しようとする課題】
ところが、図３２に示す液晶表示装置では、各電極引回し部１４３・１４４は、設計許容範囲および表示用電極（信号電極・走査電極）の抵抗値がその辺全体で均一になるように設計され、この設計に基づいてダミー電極（電極間ダミー電極、２重ダミー電極）が設計されている。このため、表示用電極およびダミー電極がシール１４５部分に占める割合、即ち介在率が各辺で異なっていた。さらに、本発明の説明図である図１２に示すように、互いに対向する表示用電極およびダミー電極の重なり合う領域Ｓの面積のシール５に占める割合、即ち重なり率も各辺で異なっていた。
【００１４】
特に、本発明の説明図である図１０に示すように、カラーフィルタ層１２を用いたカラー液晶表示装置の場合、本発明の説明図である図１１に示すように、一方の表示用電極である信号電極３の幅ｘは、他方の表示電極である走査電極４の幅（３ｘ＋２ｙ）の約１／３になっている。なお、ｘは信号電極３の線幅、ｙはブラックマトリクス１３の線幅を示す。
【００１５】
したがって、図３２に示す液晶表示装置の場合、走査電極側の走査電極引回し部１４４…で構成される端子部Ｉと、信号電極側の信号電極引回し部１４３…で構成される端子部IIとでは、表示用電極およびダミー電極のシール１４５部分での介在率および重なり率は大きく異なる。
【００１６】
さらに、図３２に示す液晶表示装置の場合、液晶の封入口１４６側の辺に液晶封入口側電極部１４７が形成されている。この液晶封入口側電極部１４７では、走査電極基板１４２上の走査電極がそのままシール１４５部分に延設されるとともに、対向基板である信号電極基板１４１上の上記シール１４５部分に２重ダミー電極が形成されているので、上記の端子部Ｉおよび端子部IIとは表示用電極およびダミー電極の介在率および重なり率が大きく異なる。
【００１７】
ところで、一般に、シールには厚み調整のためのガラスビーズが含まれている。このガラスビーズは、表示エリア内の液晶層の厚みを決定するために使用されているプラスチックスペーサとは異なり、硬質であるので貼り合わせによる圧力が加わっても変形しない。よって、シール近傍の液晶層の厚みは、シールに含まれるガラスビーズの直径を調整することによって調整することができる。
【００１８】
具体的には、図３３に示すように、表示用基板１５１・１５２に挟まれたシール１５５に含まれるシール内スペーサのガラスビーズ１５６…は、表示用電極１５３とダミー電極１５４とに挟持されるガラスビーズ１５６ａ、表示用電極１５３のみが存在する部分で挟持されるガラスビーズ１５６ｂ、および上記の何れの電極１５３・１５４も存在しない部分で挟持されるガラスビーズ１５６ｃの３つの状態に分類される。なお、図３３には示されていないが、ガラスビーズ１５６ｂの状態には、ダミー電極１５４のみが存在する部分で挟持される場合もある。
【００１９】
そして、辺全体で見た場合、表示用電極１５３とダミー電極１５４とに挟持されるガラスビーズ１５６ａが支柱の役割を果たすため、シール１５５の厚みは、該ガラスビーズ１５６ａの直径によりほぼ決定されることになる。しかし、局所的に見た場合、ガラスビーズ１５６ａ、１５６ｂ、１５６ｃが存在するそれぞれの領域では、シール１５５の厚みはそれぞれｄ３、ｄ２、ｄ１（ｄ３＞ｄ２＞ｄ１）となっている。即ち、この時ガラスビーズ１５６ｂ、１５６ｃは浮いた状態にある。
【００２０】
以上のことから、従来の図３２に示す液晶表示装置のように、シール１４５の各辺で対向する表示用電極およびダミー電極との重なり率が異なれば、シール１４５内に存在する３種の直径のガラスビーズのそれぞれの個数比も各辺で異なるため、シール１４５の厚みが４辺で異なることになる。したがって、シール１４５近傍の表示エリアでは液晶層の厚みが異なり、この結果、４辺で色ムラが生じ、表示品位を低下させるという問題が生じる。
【００２１】
また、上述のようにシール１４５の４辺での厚みが異なれば、表示エリア中央部とシール１４５近傍との厚みの調整が困難となる。つまり、シール１４５に含まれるガラスビーズの直径を調整するだけでは、４辺全てにおいてシール１４５の厚みを均一にすることはできない。したがって、表示エリアの中央部とシール１４５の４辺近傍との明るさの濃淡に差が生じ、表示品位を低下させるという問題が生じる。
【００２２】
本発明は、上記の各問題点に鑑みてなされたものであって、その目的は、シールの厚みを４辺で均一にすることにより、表示エリアの中央部とシール近傍との明るさの濃淡の差を無くし、表示エリア全体で均一な明るさの表示品位の優れた液晶表示装置を提供することにある。
【００２３】
【課題を解決するための手段】
請求項１の液晶表示装置は、上記の課題を解決するために、複数本の表示用電極が形成された一対の基板と、支柱の役割を果たすスペーサが含まれており、上記一対の基板の電極形成面を対向させて接続するためのシールと、上記一対の基板とシールとで囲まれた空間に液晶を封入して形成された液晶層と、上記液晶層の厚みを表示エリア内で均一化させるために上記一対の基板上に形成されたダミー電極とを有し、上記一対の基板に形成された対向する表示用電極は、線幅および電極ピッチが異なり、上記表示用電極およびダミー電極は、上記シール上の４辺に介在すると共に、上記表示用電極は、走査電極から上記シール部分を超えて延設された延設電極を有しており、互いに対向する電極が重なり合う領域の面積の上記シールにおける占有率を示す重なり率が上記シール上の４辺でほぼ同じになるように、上記延設電極および上記ダミー電極の線幅が上記走査電極の線幅より狭く形成されていることを特徴としている。
【００２４】
上記の構成によれば、シール上で、互いに対向する表示用電極およびダミー電極の重なり度合いを示す重なり率のバラツキがシールの４辺でほぼ同じになる（重なり率の４辺でのバラツキが所定値以下となる）ように形成されているので、シール内で支柱の役割を果たすことによりシールの厚みを決定しているガラスビーズの存在率がほぼ一定となり、シールの厚みを４辺でほぼ同一にすることができる。これにより、表示エリアのシール近傍の４辺での濃度ムラを低減することができるので、表示品位を向上させることができる。
【００２５】
なお、上記所定値は、使用者が実際に表示エリアを見たときに、シール近傍の４辺の濃度ムラが低減できていることが認識できるような範囲で設定すればよい。
【００２６】
請求項２の液晶表示装置は、上記の課題を解決するために、請求項１の構成に加えて、上記表示エリア内からの表示用電極の電極引回し部は、外部回路との接続端子に対応するように複数のブロックに分割され、かつ、各ブロックの電極引回し部の電極が、表示エリア側よりも外部回路との接続端子側の方が配置密度が高くなるように形成されるとともに、上記一対の基板上に形成された表示用電極およびダミー電極のうち、表示エリア内の表示用電極および外部回路との接続端子に平行に形成された領域のシール上において対向する電極の重なり合う領域の面積の上記シールにおける占有率を示す重なり率と、上記領域以外のシール上において対向する電極の重なり合う領域の面積の上記シールにおける占有率を示す重なり率とが、上記４辺でほぼ同じになるように形成されていることを特徴としている。
【００２７】
上記の構成によれば、請求項１の作用に加えて、表示用電極の電極引回し部が外部回路との接統端子に対応するように複数のブロックに分割され、かつ、表示エリア側の表示用引回し電極の配置密度よりも外部回路との接続端子側の表示用引回し電極の配置密度の方が高くなるように設計されることで、例えば、配線抵抗を所定値に保つために、有効表示エリア内の表示用電極と外部回路との接続端子を結ぶ電極引回し部のうち、有効表示エリア内の表示用電極に平行な領域と平行でない領域の電極幅を異ならせた場合でも、上記の有効表示エリア内の表示用電極と外部回路との接続端子を結ぶ電極引回し部のうち、有効表示エリア内の表示用電極に平行な領域と平行でない領域に対向する表示用電極およびダミー電極の重なり率のバラツキの絶対値が所定値以下となるように、表示用電極およびダミー電極を形成しているので、電極引回し部の１ブロックのうちの有効表示エリア内の表示用電極に平行な領域と平行でない領域の占有率の差による濃度ムラを低減することができ、さらに、４辺の重なり率が異なることによる濃度ムラを低減することができる。
【００２８】
なお、上記所定値は、使用者が実際に表示エリアを見たときにシール近傍の４辺の濃度ムラが低減できていることが認識できるような範囲で設定すればよい。
【００２９】
請求項３の液晶表示装置は、上記の課題を解決するために、請求項１または２の構成に加えて、上記ダミー電極は、表示用電極間に形成される電極間ダミー電極と、これら表示用電極および電極間ダミー電極が形成された基板の対向基板上に形成される２重ダミー電極とを含み、上記２重ダミー電極が、上記基板上の表示用電極および電極間ダミー電極に対向して形成されることを特徴としている。
【００３０】
上記の構成によれば、請求項１または２の作用に加えて、基板に挟持されるシールを、上下２枚の基板とも電極を有する部分に対応するシールと、上下２枚の基板とも電極の無い部分に対応するシールとに分けることができる。つまり、一方の基板にのみ電極を有するシール部分を無くすことができる。これにより、シールに含まれるシール内スペーサのガラスビーズ等の厚み調整部材によって、シールの厚みの均一化を容易に行うことができる。しかも、シール上で対向する表示用電極およびダミー電極は、４辺での重なり率のバラツキの絶対値が所定値以下となるように形成されているので、シールの厚みを４辺でほぼ同一にすることが容易になる。
【００３１】
請求項４の液晶表示装置は、上記の課題を解決するために、請求項３の構成に加えて、上記２重ダミー電極は、その線幅が対向する表示用電極および電極間ダミー電極の線幅と異なるように形成されていることを特徴としている。
【００３２】
上記の構成によれば、請求項３の作用に加えて、２重ダミ一電極は、その線幅が対向する表示用電極および電極間ダミ一電極の線幅と所定値分だけ異なるように、即ち、狭く、または、広くなるように形成されていることで、表示用電極の配線抵抗値を所定値に保ちながら重なり率を調節することが可能となり、さらに、基板の貼り合わせ時の対向する電極同士のずれを吸収することができる。
【００３３】
請求項５の液晶表示装置は、上記の課題を解決するために、請求項３または４の構成に加えて、上記重なり率が、対向する表示用電極と２重ダミー電極の重なり率と、対向する電極間ダミー電極と２重ダミー電極の重なり率との和であることを特徴としている。
【００３４】
上記の構成によれば、請求項３または４の作用に加えて、対向する表示用電極およびダミー電極の重なり率が、対向する表示用電極と２重ダミー電極の重なり率と、電極間ダミー電極と２重ダミー電極の重なり率との和であることで、表示用電極と２重ダミー電極の重なり率と、電極間ダミー電極と２重ダミー電極の重なり率とがそれぞれ異なる値となっても、その和がシールの４辺でほぼ同一であればよいことになる。これにより、最終的にシールの全ての辺で表示用電極およびダミー電極の重なり率がほぼ同一となればよいため、表示用電極、電極間ダミー電極および２重ダミー電極の重なり率を全て均一にする必要がなくなる。したがって、液晶表示装置の電極の設計を容易にし、量産性を向上させることができる。
【００３５】
請求項６の液晶表示装置は、上記の課題を解決するために、請求項１ないし５の何れかの構成に加えて、上記重なり率は、対向する電極の重なり部分のピッチに対する線幅の割合であることを特徴としている。
【００３６】
上記の構成によれば、請求項１ないし５の何れかの作用に加えて、重なり率は、表示用電極およびダミー電極の形成ピッチに対する電極の線幅の割合であることで、実際に表示用電極およびダミー電極を基板上に形成するときの設計を容易にすることができる。
【００３７】
請求項７の液晶表示装置は、上記の課題を解決するために、請求項１ないし６の何れかの構成に加えて、上記液晶表示装置の表示用電極およびダミー電極は、シール上の４辺に介在し、このシール上での上記電極が専有する割合を示す介在率が４辺でほぼ同じになるように形成されていることを特徴としている。
【００３８】
上記の構成によれば、請求項ｌないし６の何れかの作用に加えて、シール上での表示用電極およびダミー電極が専有する割合を示す介在率の４辺でのバラツキの絶対値が所定値以下となるように形成されることで、シール内スペーサのガラスビーズが、表示用電極とダミー電極とに挟持される部分、表示用電極またはダミー電極のみが存在する部分で挟持される部分、および上記の何れの電極も存在しない部分で挟持される部分の専有する割合の４辺でのバラツキの絶対値が所定値以下となり、シールの厚みを４辺でほぼ同一にすることができる。これにより、表示エリアのシール近傍の４辺での濃度ムラを低減することができるので、表示品位を向上させることができる。
【００３９】
なお、上記所定値は使用者が実際に表示エリアを見たときにシール近傍の４辺の濃度ムラが低減できていることが認識できるような範囲で設定すればよい。
【００４０】
【発明の実施の形態】
〔実施の形態１〕
本発明の一実施の形態について図１ないし図１２に基づいて説明すれば、以下の通りである。なお、本実施の形態では、液晶表示装置として、ＳＴＮ型カラー液晶表示装置に本発明を適用した場合について説明する。
【００４１】
本実施の形態に係る液晶表示装置は、図１０に示すように、ガラス等の絶縁性の一対の基板（信号電極基板１、走査電極基板２）を対向させて、その周縁部で貼り合わせる封止部材としてのシール５と、信号電極基板１と走査電極基板２とシール５とによって囲まれた空間に液晶を封入して形成される液晶層９とを含む液晶セルを有している。
【００４２】
上記信号電極基板１は、走査電極基板２の対向面側に、ストライプ状にＩＴＯ（Indium Tin Oxide）等の透明電極からなる信号電極３が設けられ、さらに、信号電極３を覆うように絶縁膜７が形成され、さらに、液晶層９の液晶分子を配向させるための配向膜８が形成されている。
【００４３】
また、上記走査電極基板２は、信号電極基板１の対向面側に、カラーフィルタ層１２、透明樹脂からなるオーバーコート層１１が順次積層され、上記オーバーコート層１１上には上記信号電極３と直交するようにＩＴＯ等の透明電極からなる走査電極４がストライプ状に設けられ、さらに、この走査電極４を覆うように液晶層９の液晶分子を配向させるための配向膜８が形成されている。
【００４４】
上記シール５には、ガラスビーズ等の硬質の部材からなるほぼ球状のシール内スペーサ６が含まれており、このシール内スペーサ６の直径によってシール５の厚みを決定するようになっている。
【００４５】
また、液晶層９には、上記シール内スペーサ６のガラスビーズよりも軟質の樹脂等のほぼ球状の部材からなるセル内スペーサ１０が含まれており、このセル内スペーサ１０の径によって液晶層９の厚みを決定するようになっている。
【００４６】
よって、上記構成の液晶セルの液晶層９の厚みは、液晶層９内のセル内スペーサ１０の径と、シール５内のシール内スペーサ６の直径とを調整することによって決めることができる。
【００４７】
また、上記カラーフィルタ層１２は、図１１に示すように、ストライプ型のＲＧＢのパターンを有しており、各々のＲ・Ｇ・Ｂのフィルタはブラックマトリクス１３で囲まれている。そして、これら各Ｒ・Ｇ・Ｂがそれぞれ一つの絵素に対応し、隣接するＲ・Ｇ・Ｂの３つの絵素に対応するフィルタで表示エリアの一つの画素に対応するようになっている。上記カラーフィルタ層１２の場合、信号電極３の幅をｘ、ブラックマトリクス１３の幅をｙとすると、走査電極４の幅は３ｘ＋２ｙとなり、信号電極３の幅は、走査電極４の幅の約１／３となる。
【００４８】
上記構成の液晶セルを有する液晶表示装置は、図１に示すように、中央部が画像表示のための表示エリアとなる。なお、説明の便宜上、図１では、表示エリア内の信号電極３、走査電極４、画素電極等を省略している。
【００４９】
上記表示エリアの外周部の各辺のシール５部分には、走査電極駆動回路等の外部回路（図示せず）との接続のための端子部Ｉ、信号電極駆動回路等の外部回路（図示せず）との接続のための端子部II、および液晶封入口１４が形成されている。
【００５０】
上記端子部Ｉは、表示エリア内の走査電極基板２の走査電極４（図１０）が所定本数ごとに引回して構成された複数の走査電極引回し部１６…からなる。即ち、上記端子部Ｉには、走査電極の引回し電極が複数のブロックとして形成されている。なお、この走査電極引回し部１６の構成の詳細は後述する。
【００５１】
また、上記端子部IIは、表示エリア内の信号電極基板１の信号電極３（図１０）が所定本数ごとに引回して構成された複数の信号電極引回し部１５…からなる。なお、この信号電極引回し部１５の構成の詳細は後述する。
【００５２】
さらに、上記液晶封入口１４が形成されたシール５の部分では、表示エリアからの走査電極４がシール５まで延設されており、液晶封入口側電極部１７を構成している。なお、この液晶封入口側電極部１７の構成の詳細は後述する。
【００５３】
ここで、上記表示エリアの外周部の各辺のシール５部分に存在する走査電極引回し部１６、信号電極引回し部１５、液晶封入口側電極部１７の構成について、説明する。
【００５４】
まず、走査電極引回し部１６について図２、図３および図８を参照しながら以下に説明する。走査電極引回し部１６は、図２に示すように、走査電極４と外部回路への接続用の接続端子１８とを電気的に接続する引回し電極１９…を有している。
【００５５】
上記の接続端子１８は、外部回路側のＴＡＢ（Tape Automated Bonding）等に対応した密度で配置されている。一般に、接続端子１８の線幅は、走査電極４に比べて狭い。このため、引回し電極１９は、走査電極４から接続端子１８に向かって屈曲して接続されている。
【００５６】
引回し電極１９は、接続端子１８側の直線部１９ａと、走査電極４側の傾斜部１９ｂとで構成されている。但し、引回し電極１９は、図８に示すように、走査電極引回し部１６の中央部では接続端子１８から走査電極４まで直線状の直線部１９ａのみで形成されている。そして、引回し電極１９は、中央部から離れるにつれて、直線部１９ａの割合が小さくなり、傾斜部１９ｂの割合が増えるように形成されている。しかも、引回し電極１９は、走査電極引回し部１６内の引回し電極１９同士の抵抗値を均一化するために、直線部１９ｂの線幅が傾斜部１９ａの線幅より広くなるように形成されている。
【００５７】
このように、引回し電極１９の直線部１９ｂの線幅が傾斜部１９ａの線幅よりも広くなるように形成されると、直線部１９ａ部分で引回し電極１９同士の間に空間が生じる。このように空間が生じれば、シール５の厚みが引回し電極１９の存在する部分と存在しない部分とで異なり、シール５の厚みが不均一になる。
【００５８】
したがって、上記のように引回し電極１９間に設けられた空間には、シール５の厚みを均一にするために、上記引回し電極１９の厚みと同じ厚みの電極がダミー電極として設けられている。このダミー電極は、引回し電極１９間に設けられるので、電極間ダミー電極２０と称する。また、電極間ダミー電極２０は、走査電極基板２上に走査電極４を形成するときに引回し電極１９と同時に形成される。
【００５９】
また、走査電極引回し部１６では、図３に示すように、走査電極基板２の対向基板である信号電極基板１に、引回し電極１９…と電極間ダミー電極２０…とに対向する２重ダミー電極２１…が形成されている。この２重ダミー電極２１の線幅および厚みは、上記引回し電極１９および電極間ダミー電極２０と同じとする。よって、図２では、２重ダミー電極２１を省略して記載してある。また、２重ダミー電極２１は、信号電極基板１上に信号電極３と同時に形成される。
【００６０】
なお、上記引回し電極１９、電極間ダミー電極２０、２重ダミー電極２１の線幅や、電極間の距離等の設計事項については、後の実施例１において詳細に述べる。
【００６１】
以下の説明では、シール５上に存在する引回し電極１９等の表示に関わる電極をまとめて表示用電極と称し、電極間ダミー電極２０や２重ダミー電極２１をまとめてダミー電極と称する。
【００６２】
つぎに、信号電極引回し部１５について図４および図５を参照しながら以下に説明する。信号電極引回し部１５は、図４に示すように、信号電極３と外部回路への接続用の接続端子２２とを電気的に接続する引回し電極２３を有している。
【００６３】
上記の接続端子２２は、外部回路側のＴＡＢ等に対応した密度で配置されている。一般に、接続端子２２の線幅は、信号電極３に比べて狭い。このため、引回し電極２３は、信号電極３から接続端子２２に向かって屈曲して接続されている。
【００６４】
引回し電極２３は、接続端子２２側の直線部２３ａと、信号電極３側の傾斜部２３ｂとで構成されている。この場合、引回し電極２３における直線部２３ａと傾斜部２３ｂとの割合は、上述した走査電極引回し部１６の場合と同様に中央部から離れるにつれて変わる。しかも、引回し電極２３は、信号電極引回し部１５内の引回し電極２３同士の抵抗値が均一となるように、直線部２３ａの線幅よりも傾斜部２３ｂの線幅の方が若干広くなるように形成されている。
【００６５】
上記引回し電極２３の場合、上述したように信号電極３の線幅が走査電極４の線幅の約１／３である（図１１参照）ので、信号電極３同士の間隔が走査電極４同士の間隔よりも狭くなり、引回し電極２３同士の間隔も狭くなっている。よって、引回し電極２３間には、走査電極引回し部１６において引回し電極１９間に形成したようなダミー電極を形成しない。
【００６６】
また、信号電極引回し部１５では、図５に示すように、信号電極基板１の対向基板である走査電極基板２上に上記引回し電極２３…に対向する２重ダミー電極２４…が形成されている。この２重ダミー電極２４の線幅および厚みは、上記引回し電極２３と同じとする。よって、図４では、２重ダミー電極２４を省略して記載してある。また、２重ダミー電極２４は、走査電極基板２上に走査電極４と同時に形成される。
【００６７】
なお、上記引回し電極２３、２重ダミー電極２４の線幅や、電極間の距離等の設計事項については、後の実施例１において詳細に述べる。
【００６８】
ついで、液晶封入口側電極部１７について図６および図７を参照しながら以下に説明する。液晶封入口側電極部１７は、図６に示すように、走査電極４からシール５部分を超えて延設された延設電極２５…を有している。
【００６９】
延設電極２５は、走査電極４の線幅に比べて狭い線幅となるように形成されている。これは、後述するシール５部分での電極の介在率および重なり率を考慮したものである。上記介在率および重なり率については、後で詳細に述べる。
【００７０】
また、液晶封入口側電極部１７では、図７に示すように、走査電極基板２の対向基板である信号電極基板１上に上記延設電極２５…に対向する２重ダミー電極２６…が形成されている。この２重ダミー電極２６の線幅および厚みは、上記延設電極２５と同じとする。よって、図６では、２重ダミー電極２６を省略して記載してある。また、２重ダミー電極２６は、信号電極基板１上に信号電極３と同時に形成される。
【００７１】
なお、上記延設電極２５、２重ダミー電極２６の線幅や、電極間の距離等の設計事項については、後の実施例１において詳細に述べる。
【００７２】
さて、上記構成の液晶表示装置において、上記の走査電極引回し部１６、信号電極引回し部１５および液晶封入口側電極部１７は、表示用電極としての、引回し電極１９、引回し電極２３および延設電極２５と、ダミー電極としての、電極間ダミー電極２０、２重ダミー電極２１、２重ダミー電極２４および２重ダミー電極２６とのシール５における表示エリアの４辺での介在率および重なり率のバラツキの絶対値が、所定値以下となるように設計される。ここで、上記介在率とは、表示用電極およびダミー電極がシール５に占める割合をいう。また、重なり率とは、図１２に示すように対向する２電極の重なり合う領域Ｓの面積のシール５に占める割合をいう。
【００７３】
また、端子部Ｉの走査電極引回し部１６の間のシール５には、信号電極基板１および走査電極基板２上にダミー電極がそれぞれ設けられている。このダミー電極の介在率および重なり率も、走査電極引回し部１６のシール５における介在率および重なり率と同様に、所定値に設定される。また同様にして、端子部IIの信号電極引回し部１５の間のシール５にも、信号電極基板１および走査電極基板２上にダミー電極がそれぞれ設けられている。このダミー電極の介在率および重なり率も、信号電極引回し部１５のシール５における介在率および重なり率と同様に、所定値に設定される。
【００７４】
このように、シール５における４辺での表示用電極およびダミー電極の介在率および重なり率のバラツキが所定値以下となるように上記表示用電極およびダミー電極を設計することで、シール５近傍の液晶層９の厚みを４辺でほぼ均一にすることができる。これにより、シール５近傍での濃度ムラを無くすことができるので、表示品位の向上を図ることができる。
【００７５】
ここで、上記の所定値とは、使用者が実際に表示エリアを見たときにシール５近傍の４辺の濃度ムラが低減できていることが認識できるような範囲で設定すればよい。
【００７６】
また、シール５は、図１０に示すように、シール内スペーサ６によってその厚みが調整されるので、このシール内スペーサ６の直径を変えるだけで、液晶層９の厚みに合わせることができる。これにより、表示エリアにおける液晶層９の中央部とシール５近傍の液晶層９との厚みを４辺で均一にすることができるので、表示エリアの中央部とシール５近傍との濃度ムラを無くすことができ、表示品位をさらに向上させることができる。
【００７７】
なお、上記構成の液晶表示装置は、ストライプ状のカラーフィルタ層１２を有し、このカラーフィルタ層１２に合わせて表示用電極が形成されている。
【００７８】
したがって、表示用電極がカラ一フィルタ層１２に合わせて形成されることで、例えば、表示用電極が、走査電極基板２上に形成された走査電極４と信号電極基板１上に形成された信号電極３とからなり、上記信号電極３の電極ピッチが走査電極４の電極ピッチの１／３になるように形成される。これにより、表示用電極のうち信号電極３の線幅が走査電極４の線幅に対して約１／３になるので、信号電極３が形成されたシール５上の表示用電極およびダミー電極の重なり率と、走査電極４が形成されたシール５上の表示用電極およびダミー電極の重なり率とが異なることになる。
【００７９】
しかしながら、上記の重なり率をシール５の４辺でそのバラツキの絶対値が所定値以下となるように、表示用電極およびダミー電極を形成しているので、重なり率が異なることによる濃度ムラを低減することができる。したがって、ストライプ状のカラーフィルタ層１２を有する液晶表示装置であっても、表示エリア全域にわたり明るさの濃淡の差を低減することができるので、表示品位を優れたものにすることができる。
【００８０】
なお、上記構成の液晶表示装置がＳＴＮ型液晶表示装置である場合、セル厚の差に対する特性の変化が大きく、例えば、液晶層の厚みが０．０５μｍ変化すると、濃淡差としてムラに見えてしまう。
【００８１】
しかしながら、重なり率をシール５の４辺でそのバラツキの絶対値が所定値以下となるように、表示用電極およびダミー電極を形成しているので、重なり率が異なることによる濃度ムラを低減することができる。したがって、ＳＴＮ型液晶表示装置であっても、表示エリア全域にわたり明るさの濃淡の差を低減することができるので、表示品位を優れたものにすることができる。
【００８２】
なお、上記構成の液晶表示装置の液晶セルにおいて、上記走査電極引回し部１６の電極間ダミー電極２０を、引回し電極１９と同じ素材（ＩＴＯ）で、図２に示すように走査電極基板２上で引回し電極１９とは電気的に接続しないように形成すると、電極間ダミー電極２０に余分な電荷が蓄積されるおそれがある。このように電極間ダミー電極２０に電荷が蓄積されると、引回し電極１９に不要な電圧が印加される。即ち、走査電極４に不要な電圧が印加され、表示品位の低下を招くおそれがある。
【００８３】
上記のような問題は、例えば図９に示すように、電極間ダミー電極２０の一部である接続部２０ａを、引回し電極１９に電気的に接続することで解決できる。この場合、電極間ダミー電極２０に蓄積された不要な電荷を引回し電極１９を通じて逃がすことができるので、引回し電極１９に対して不要な電圧を印加することがなくなり、表示品位の低下を防止することができる。しかしながら、電極間ダミー電極２０を引回し電極１９と接続する場合、接続部２０ａの面積が大きくなれば、電極間ダミー電極２０は引回し電極１９と電気的に一体化され表示用電極として働くおそれがある。従って、上記電極間ダミー電極２０の接続部２０ａの線幅はできるだけ狭い方がよい。
【００８４】
ここで、液晶表示装置のシール５の４辺での表示用電極およびダミー電極の介在率および重なり率のバラツキを所定値以下に設計した液晶表示装置（以下、統一品と称する）と、上記介在率および重なり率のバラツキを考慮しない従来からの液晶表示装置（以下、非統一品と称する）とで表示エリアの明るさの濃淡のバラツキについて図２５ないし図２７を参照しながら以下に述べる。
【００８５】
上記明るさの濃淡のバラツキは、階調表示時の透過率比率（平均値基準）を測定した結果によって判断することができる。
【００８６】
図２５に示すような平均値を、図中にプロットした点（図中の点線）毎に階調表示時の平均の透過率を測定した値とし、液晶表示装置の表示エリアの解像度を横８００ドット（Ｘ軸）、縦６００ドット（Ｙ軸）とした場合、階調表示時における透過率比率（平均値基準）を各ドット毎に求めると、図２６および図２７に示すような結果となった。なお、図２６および図２７では、統一品を実線で、非統一品を一点鎖線で表示している。
【００８７】
図２６および図２７から、統一品は、非統一品に比べて表示領域のシール近傍であるＸ軸の０、８００ドット、Ｙ軸の０、６００ドット付近において、平均値に近い透過率比率を示していることが分かる。このことから、統一品は、表示エリアの中央部とシール近傍との明るさの濃淡のバラツキが非統一品に比べて少ないことが分かる。
【００８８】
〔実施の形態２〕
本発明の他の実施の形態について図１３ないし図１９に基づいて説明すれば、以下の通りである。なお、説明の便宜上、前記の実施の形態１と同一の機能を有する部材には同一番号を付記し、その説明は省略する。
【００８９】
本実施の形態に係る液晶表示装置は、図１３に示すように、前記の実施の形態１の液晶表示装置の走査電極引回し部１６…、信号電極引回し部１５…、液晶封入口側電極部１７の代わりに、走査電極引回し部３２…、信号電極引回し部３１…、液晶封入口側電極部３３を有している。
【００９０】
上記走査電極引回し部３２は、図１４および図１５に示すように、引回し電極１９および電極間ダミー電極２０に対向して信号電極基板１上に形成される２重ダミー電極３４の線幅が、上記引回し電極１９に対向する部分は所定値分だけ狭く、上記電極間ダミー電極２０に対向する部分は所定値分だけ広く、形成されている。
【００９１】
また、信号電極引回し部３１は、図１６および図１７に示すように、引回し電極２３に対向して走査電極基板２上に形成される２重ダミー電極３５の線幅が、上記引回し電極２３の線幅よりも所定値分だけ狭くなるように形成されている。
【００９２】
さらに、液晶封入口側電極部３３は、図１８および図１９に示すように、延設電極２５に対向して信号電極基板１上に形成される２重ダミー電極３６の線幅が、上記延設電極２５の線幅よりも所定値分だけ狭くなるように形成されている。
【００９３】
本実施の形態が前記の実施の形態１と相違するところは、２重ダミー電極の線幅を対向する電極の線幅と異ならせて設計する点にある。即ち、表示用電極としての、引回し電極１９、引回し電極２３および延設電極２５と、電極間ダミー電極２０とに対向する２重ダミー電極３４、３５、３６の線幅が、上記の表示用電極と電極間ダミー電極２０の線幅とは異ならせて形成される。
【００９４】
これは、電極引回し部の配線抵抗と、介在率および重なり率を所定の範囲の値にするためである。上記の２重ダミー電極が対向する各電極の線幅よりも所定値分だけ異ならせておけば、上下基板の貼り合わせが多少ずれても２重ダミー電極を設けることによる効果は何ら変わらない。即ち線幅が異なることにより、上下基板を貼り合わせるときにマージンが生じる。よって、貼り合わせるときの僅かなずれ等を吸収することができるので、液晶表示装置の量産性を向上させることができる。
【００９５】
なお、上記所定値は特に限定されるものではなく、上記のマージンができる範囲内、かつ、シール５内における表示用電極およびダミー電極の介在率および重なり率を考慮して自由に設定することができる。
【００９６】
また、本実施の形態においても、前記の実施の形態１と同様に、シール５における４辺での表示用電極およびダミー電極の介在率および重なり率のバラツキが所定値以下となるように上記表示用電極およびダミー電極を設計することで、シール５近傍の液晶層９の厚みを４辺でほぼ均一にすることができる。よって、シール５近傍での濃度ムラを無くすことができるので、表示品位の向上を図ることができる。
【００９７】
なお、上記の走査電極引回し部３２、信号電極引回し部３１、および液晶封入口側電極部３３における表示用電極およびダミー電極のシール５での介在率および重なり率については、後述の実施例２において詳細に述べる。
【００９８】
〔実施の形態３〕
本発明のさらに他の実施の形態について図２０ないし図２４に基づいて説明すれば、以下の通りである。なお、説明の便宜上、前記の各実施の形態１および２と同一機能を有する部材には、同一番号を付記し、その説明は省略する。
【００９９】
本実施の形態に係る液晶表示装置は、図２０に示すように、信号電極基板１に形成された信号電極３の引回し部として、前記の実施の形態２の信号電極引回し部３１の代わりに信号電極引回し部４１、走査電極引回し部３２の代わりに走査電極引回し部４２、液晶封入口側電極部３３の代わりに液晶封入口側電極部４３を有している。
【０１００】
上記走査電極引回し部４２は、図２１および図２２に示すように、引回し電極１９および電極間ダミー電極２０に対向して信号電極基板１上に形成される２重ダミー電極４４の線幅が、上記引回し電極１９に対向する部分および上記電極間ダミー電極２０に対向する部分とも所定値分だけ狭く形成されている。
【０１０１】
また、信号電極引回し部４１は、図２３に示すように、引回し電極２３に対向して走査電極基板２上に形成される２重ダミー電極４５の線幅が、上記引回し電極２３の線幅よりも所定値分だけ狭くなるように形成されている。
【０１０２】
さらに、液晶封入口側電極部４３は、図２４に示すように、延設電極２５に対向して信号電極基板１上に形成される２重ダミー電極４６の線幅が、上記延設電極２５の線幅よりも所定値分だけ狭くなるように形成されている。
【０１０３】
前記の実施の形態２と同様、前記の実施の形態１と相違するところは２重ダミー電極の線幅を対向する電極の線幅と異ならせて設計する点であり、これは、電極引回し部の配線抵抗と、介在率および重なり率を所定の範囲の値にするためである。
【０１０４】
また、本実施の形態においても、前記の各実施の形態１および２と同様に、シール５における４辺での表示用電極およびダミー電極の介在率および重なり率のバラツキが所定値以下となるように、上記の表示用電極およびダミー電極を設計することで、シール５近傍の液晶層９の厚みを４辺でほぼ均一にすることができる。よって、シール５近傍での濃度ムラを無くすことができるので、表示品位の向上を図ることができる。
【０１０５】
なお、信号電極引回し部４１、走査電極引回し部４２および液晶封入口側電極部４３における表示用電極およびダミー電極のシール５での介在率および重なり率については、後述の実施例３において詳細に述べる。
【０１０６】
【実施例】
〔実施例１〕
本発明の一実施例について図１ないし図７に基づいて説明すれば、以下の通りである。
【０１０７】
本実施例では、前記の実施の形態１で説明した走査電極引回し部１６、信号電極引回し部１５、液晶封入口側電極部１７における表示用電極およびダミー電極のシール５での介在率および重なり率のバラツキについて述べる。
【０１０８】
なお、上記介在率は、シール５における電極の面積の占有率で定義される。また、重なり率は、図１２に示すように対向する２電極の重なり合う領域Ｓの面積のシール５における占有率で定義される。
【０１０９】
しかしながら、設計の簡易化のために、本実施例および以下の他の実施例においては、“電極の線幅／電極ピッチ”を介在率とし、また、“対向する２電極の線幅のうち狭い方の線幅／電極ピッチ”を重なり率として、走査電極引回し部１６、信号電極引回し部１５および液晶封入口側電極部１７の設計を行っている。
【０１１０】
それぞれの電極引回し部では、２重ダミー電極が電極引回し部に重なるように、それぞれ対向する基板上に形成されている。さらに、端子部Ｉ・IIの端子群の間にもダミー電極が、介在率および重なり率を一定にするように形成されている。
【０１１１】
そして、図１１に示したように、端子部Ｉに比べて端子部IIは３倍の本数の接続端子を持っている。したがって、端子部IIから延びる表示用電極の幅は、端子部Ｉから延びる表示用電極の幅に比べて約１／３になっており、端子部IIの引回し電極１５のピッチは端子部Ｉのピッチよりも狭く形成されている。そのため、端子部Ｉの走査電極引回し部１６の引回し電極１９間には電極間ダミー電極２０が形成されているが、端子部IIの信号電極引回し部１６の引回し電極２３間には電極間ダミー電極は形成されていない。
【０１１２】
また、液晶封入口側電極部１７は、シール５の電極の介在率を他の辺とほぼ同一にするため、シール５部分の表示用電極およびダミー電極の電極幅を狭めてある。
【０１１３】
まず、走査電極引回し部１６の場合、図２に示すように、引回し電極１９の直線部１９ａの電極ピッチａを０．２０００ｍｍ、直線部１９ａの線幅ｂを０．０６６５ｍｍ、電極間ダミー電極２０の線幅ｃを０．０８８６ｍｍ、引回し電極１９の傾斜部１９ｂの電極ピッチｄを０．１５３０ｍｍ、傾斜部１９ｂの線幅ｅを０．１１８７ｍｍとして設計されるとともに、図３に示す２重ダミー電極２１の各線幅や電極ピッチが、この２重ダミー電極２１と対応する上記の引回し電極１９および電極間ダミー電極２０と同一となるように設計されている。
【０１１４】
つぎに、信号電極引回し部１５の場合、図４に示すように、引回し電極２３の直線部２３ａの電極ピッチｆを０．０７１０ｍｍ、直線部２３ａの線幅ｇを０．０５５１ｍｍ、引回し電極２３の傾斜部２３ｂの電極ピッチｈを０．０６９５ｍｍ、傾斜部２３ｂの線幅ｉを０．０５３９ｍｍとして設計されるとともに、図５に示す２重ダミー電極２４の各線幅や電極ピッチが、この２重ダミー電極２４と対応する上記の引回し電極２３と同一となるように設計されている。
【０１１５】
最後に、液晶封入口側電極部１７の場合、図６に示すように、延設電極２５の電極ピッチｊを０．２７３０ｍｍ、延設電極２５の線幅ｋを０．２１１８ｍｍとして設計されるとともに、図７に示す２重ダミー電極２６の電極ピッチおよび線幅が、上記の延設電極２５と同一となるように設計されている。
【０１１６】
このようにして設計された、走査電極引回し部１６、信号電極引回し部１５および液晶封入口側電極部１７を有する、図１に示すような、液晶表示装置での表示用電極およびダミー電極の介在率および重なり率は、以下の表１に示すようになる。
【０１１７】
【表１】
0003691196.tif 000002
【０１１８】
表１より、液晶表示装置の表示エリアの外周部の各辺のシール５上に存在する表示用電極およびダミー電極の介在率および重なり率が、ほぼ同一になっていることが分かる。この場合、介在率は、表示用電極および電極間ダミー電極の介在率と２重ダミー電極の介在率との和である。また、このときの表示用電極の配線抵抗は、各辺で均一となるように設計されている。
【０１１９】
そして、上記のように設計された表示用電極およびダミー電極を有する信号電極基板１・走査電極基板２を用いてＳＴＮ型カラー液晶表示装置を形成した結果、表示エリア外周部の４辺それぞれの明るさの濃淡が均一となった。さらに、シール５中に含まれるシール内スペーサ６のガラスビーズの直径を調整することによって、４辺全ての表示エリアのシール近傍の明るさの濃淡を、表示エリア中央部の明るさの濃淡に合わせることが可能となった。
【０１２０】
なお、各走査電極引回し部１６間および各信号電極引回し部１５間のシール５上の空間に設けられたダミー電極の介在率および重なり率も上記の走査電極引回し部１６および信号電極引回し部１５の表示用電極およびダミー電極の介在率および重なり率、および液晶封入口側電極部１７のダミー電極の介在率および重なり率に合わせて４辺でほぼ同じになるように揃えている。
【０１２１】
〔実施例２〕
本発明の他の実施例について図１３ないし図１９に基づいて説明すれば、以下の通りである。なお、説明の便宜上、前記の実施例１において、定義した電極ピッチおよび線幅に使用した記号をそのまま使用するものとする。
【０１２２】
本実施例では、前記の実施の形態２で説明した走査電極引回し部３２、信号電極引回し部３１、液晶封入口側電極部３３における表示用電極およびダミー電極のシール５での介在率および重なり率のバラツキについて述べる。
【０１２３】
なお、本実施例では、前記の実施例１同様、設計の簡易化のために、“電極の線幅／電極ピッチ”を介在率とし、また、“対向する２電極の線幅のうち狭い方の線幅／電極ピッチ”を重なり率として、走査電極引回し部３２、信号電極引回し部３１および液晶封入口側電極部３３の設計を行っている。
【０１２４】
それぞれの電極引回し部では、２重ダミー電極が電極引回し部に重なるように、それぞれ対向する基板上に形成されている。さらに、端子部Ｉ・IIの端子群の間にもダミー電極が、介在率および重なり率を一定にするように形成されている。
【０１２５】
前記の実施例１と相違するところは、２重ダミー電極の線幅を対向する電極の線幅と異ならせて設計する点であり、これは、電極引回し部の配線抵抗と、介在率および重なり率を所定の範囲の値にするためである。
【０１２６】
そして、図１１に示したように、端子部Ｉに比べて端子部IIは３倍の本数の接続端子を持ち、端子部IIから延びる表示用電極の幅は、端子部Ｉから延びる表示用電極の幅に比べて約１／３になっており、端子部IIの引回し電極３１のピッチは端子部Ｉのピッチよりも狭く形成されている。そのため、端子部Ｉの走査電極引回し部３２の引回し電極１９間には電極間ダミー電極２０が形成されているが、端子部IIの信号電極引回し部３１の引回し電極２３間には電極間ダミー電極は形成されていない。
【０１２７】
また、液晶封入口側電極部３３は、シール５の電極の介在率を他の辺とほぼ同一にするため、シール５部分の表示用電極およびダミー電極の電極幅を狭めてある。
【０１２８】
まず、走査電極引回し部３２の場合、図１４および図１５に示すように、引回し電極１９の直線部１９ａの電極ピッチａを０．１８００ｍｍ、直線部１９ａの線幅ｂを０．０８６４ｍｍ、電極間ダミー電極２０の線幅ｃを０．０５３６ｍｍ、引回し電極１９の傾斜部１９ｂの電極ピッチｄを０．１５２０ｍｍ、傾斜部１９ｂの線幅ｅを０．１３２０ｍｍとして設計されるとともに、引回し電極１９の直線部１９ａに対応する２重ダミー電極３４の電極ピッチｌを０．１８００ｍｍ、直線部１９ａに対応する２重ダミー電極３４の線幅ｍを０．０４９２ｍｍ、電極間ダミー電極２０に対応する２重ダミー電極３４の線幅ｎを０．０７００ｍｍ、引回し電極１９の傾斜部１９ｂに対応する２重ダミー電極３４の電極ピッチｏを０．１５２０ｍｍ、傾斜部１９ｂに対応する２重ダミー電極３４の線幅ｐを０．０８６９ｍｍとして設計される。
【０１２９】
つぎに、信号電極引回し部３１の場合、図１６および図１７に示すように、引回し電極２３の直線部２３ａの電極ピッチｆを０．０７００ｍｍ、直線部２３ａの線幅ｇを０．０４００ｍｍ、引回し電極２３の傾斜部２３ｂの電極ピッチｈを０．０６４２ｍｍ、傾斜部２３ｂの線幅ｉを０．０４９２ｍｍとして設計されるとともに、引回し電極２３の直線部２３ａに対応する２重ダミー電極３５の電極ピッチｑを０．０７００ｍｍ、直線部２９ａに対応する２重ダミー電極３５の線幅ｒを０．０５３６ｍｍ、引回し電極２３の傾斜部２３ｂに対応する２重ダミー電極３５の電極ピッチｓを０．０６４２ｍｍ、傾斜部２３ｂに対応する２重ダミー電極３５の線幅ｔを０．０３６７ｍｍとして設計される。
【０１３０】
最後に、液晶封入口側電極部３３の場合、図１８および図１９に示すように、延設電極２５の電極ピッチｊを０．２４００ｍｍ、延設電極２５の線幅ｋを０．２０８４ｍｍとして設計されるとともに、２重ダミー電極３６の電極ピッチｕを０．２４００ｍｍ、２重ダミー電極３６の線幅ｖを０．１３７１ｍｍとして設計されている。
【０１３１】
このようにして設計された、走査電極引回し部３２、信号電極引回し部３１および液晶封入口側電極部３３を有する、図１３に示すような、液晶表示装置での表示用電極およびダミー電極の介在率および重なり率は、以下の表２に示すようになる。
【０１３２】
【表２】
0003691196.tif 000003
【０１３３】
表２より、液晶表示装置の表示エリアの外周部の各辺のシール５上に存在する表示用電極およびダミー電極の介在率および重なり率が、ほぼ同一になっていることが分かる。この場合、介在率は、表示用電極および電極間ダミー電極の介在率と２重ダミー電極の介在率との和である。また、このときの表示用電極の配線抵抗は、各辺で均一となるように設計されている。
【０１３４】
そして、上記のように設計された表示用電極およびダミー電極を有する信号電極基板１・走査電極基板２を用いてＳＴＮ型カラー液晶表示装置を形成した結果、表示エリア外周部の４辺それぞれの明るさの濃淡が均一となった。さらに、シール５中に含まれるシール内スペーサ６のガラスビーズの直径を調整することによって、４辺全ての表示エリアのシール近傍の明るさの濃淡を、表示エリア中央部の明るさの濃淡に合わせることが可能となった。
【０１３５】
なお、各走査電極引回し部３２…および各信号電極引回し部３１…同士間のシール５上の空間に設けられたダミー電極の介在率および重なり率も上記の走査電極引回し部３２および信号電極引回し部３１の表示用電極およびダミー電極の介在率および重なり率、および液晶封入口側電極部３３のダミー電極の介在率および重なり率に合わせて４辺でほぼ同じになるように揃えている。
【０１３６】
上記の介在率および重なり率は、設計上の介在率および重なり率であり、実際に信号電極基板１と走査電極基板２をシール５によって貼り合わせた場合には、エッチング等の製造工程により表示用電極およびダミー電極の介在率および重なり率が若干変わるおそれがある。
【０１３７】
そこで、本実施例では、液晶表示装置完成後において、表示用電極およびダミー電極の介在率および重なり率の測定を行った。この測定には、前述した表２に示す設計条件に基づいて形成された液晶表示装置を２つ用いた。そして、この測定結果は、以下の表３・４に示すようになった。
【０１３８】
【表３】
0003691196.tif 000004
【０１３９】
【表４】
0003691196.tif 000005
【０１４０】
上記の表３・４から、表２に示す設計条件に比べて表示用電極およびダミー電極の４辺での重なり率のバラツキが大きくなっていることが分かる。しかしながら、表３・４程度の表示エリアにおける４辺での重なり率のバラツキでは、明るさの濃淡の差が若干異なるが、許容レベルであった。つまり、表２で示した設計条件に基づいて形成された液晶表示装置では、シール５の４辺での表示用電極およびダミー電極の重なり率に多少のバラツキは生じるものの、表示エリアの中央部とシール５近傍との濃淡ムラを許容範囲内に低減することができることがわかった。
【０１４１】
上記のシール５の４辺での重なり率のバラツキは、４辺で０％に近いほど表示品位は向上するが、表３・４から、シール５の４辺での重なり率のバラツキが±５％以下であれば良品レベルとなることが分かる。そして、重なり率のバラツキが±３％以内であれば、さらに品位は向上し、±１％以内に抑えることができれば、４辺での濃淡差の無い高品位の表示を可能とすることができる。
【０１４２】
よって、本実施例の場合、４辺での重なり率のバラツキの所定値は、±５％が好ましく、さらに±３％が好ましく、より好ましくは±１％である。４辺での重なり率のバラツキの所定値を設定し、重なり率の絶対値のバラツキをこの所定値以下となるように、シール５の４辺での表示用電極およびダミー電極を形成すれば、シール内で支柱の役割を果たすことによりシール５の厚みを決定しているシール内スペーサ６のガラスビーズの存在率がほぼ一定となり、シール５の厚みを４辺でほぼ同一にすることができる。これにより、表示エリアのシール５近傍の４辺での濃度ムラを低減することができるので、表示品位を向上させることができる。
【０１４３】
また、介在率の４辺でのバラツキの絶対値を±１０％以下に抑えるように、シール５の４辺での表示用電極およびダミー電極を形成すれば、シール５上でシール内スペーサ６のガラスビーズが、表示用電極とダミー電極とに挟持される部分、表示用電極またはダミー電極のみが存在する部分で挟持される部分、および上記の何れの電極も存在しない部分で挟持される部分の専有する割合の４辺でのバラツキの絶対値が所定値以下となり、シール５の厚みを４辺でほぼ同一にすることができる。これにより、表示エリアのシール５近傍の４辺での濃度ムラを低減することができるので、表示品位を向上させることができる。
【０１４４】
なお、上記介在率および重なり率のバラツキは、上述したようにエッチング等の製造工程によって決定される。したがって、表示用電極やダミー電極の形成時のエッチング精度を向上させて、エッチングによるバラツキを低減することにより、介在率および重なり率のバラツキを０％に限りなく近づけることができ、表示品位をさらに向上させることができる。
【０１４５】
〔実施例３〕
本発明のさらに他の実施例について図２０ないし図２４に基づいて説明すれば、以下の通りである。説明の便宜上、前記の実施例１および２において、定義した電極ピッチおよび線幅に使用した記号をそのまま使用するものとする。
【０１４６】
本実施例では、前記の実施の形態３で説明した走査電極引回し部４２、信号電極引回し部４１、液晶封入口側電極部４３における表示用電極およびダミー電極のシール５での介在率および重なり率のバラツキについて述べる。
【０１４７】
なお、本実施例では、前記の実施例１および２同様、設計の簡易化のために、“電極の線幅／電極ピッチ”を介在率とし、また、“対向する２電極の線幅のうち狭い方の線幅／電極ピッチ”を重なり率として、走査電極引回し部４２、信号電極引回し部４１および液晶封入口側電極部４３の設計を行っている。
【０１４８】
それぞれの電極引回し部では、２重ダミー電極が電極引回し部に重なるように、それぞれ対向する基板上に形成されている。さらに、端子部Ｉ・IIの端子群の間についてもダミー電極が、介在率および重なり率を一定にするように形成されている。
【０１４９】
本実施例は、電極引回し部の配線抵抗と、介在率および重なり率を所定の範囲の値にするため、前記の実施例１と相違して２重ダミー電極の線幅を対向する電極の線幅と異ならせて設計する点で、前記の実施例２と同様である。
【０１５０】
そして、図１１に示したように、端子部Ｉに比べて端子部IIは３倍の本数の接続端子を持っている。したがって、端子部IIから延びる表示用電極の幅は、端子部Ｉから延びる表示用電極の幅に比べて約１／３になっており、端子部IIの引回し電極３１のピッチは端子部Ｉのピッチよりも狭く形成されている。そのため、端子部Ｉの走査電極引回し部３２の引回し電極１９間には電極間ダミー電極２０が形成されているが、端子部IIの信号電極引回し部３１の引回し電極２３間には電極間ダミー電極は形成されていない。
【０１５１】
また、液晶封入口側電極部３３は、シール５の電極の介在率を他の辺とほぼ同一にするため、シール５において表示用電極およびダミー電極の電極幅を狭めてある。
【０１５２】
まず、走査電極引回し部４２の場合、図２１および図２２に示すように、引回し電極１９の直線部１９ａの電極ピッチａを０．２４００ｍｍ、直線部１９ａの線幅ｂを０．０４７６ｍｍ、電極間ダミー電極２０の線幅ｃを０．１５２４ｍｍ、引回し電極１９の傾斜部１９ｂの電極ピッチｄを０．１４１３ｍｍ、傾斜部１９ｂの線幅ｅを０．１１８３ｍｍとして設計されるとともに、引回し電極１９の直線部１９ａに対応する２重ダミー電極４４の電極ピッチｌを０．２４００ｍｍ、直線部１９ａに対応する２重ダミー電極４４の線幅ｍを０．０３１９ｍｍ、電極間ダミー電極２０に対応する２重ダミー電極４４の線幅ｎを０．０７９７ｍｍ、引回し電極１９の傾斜部１９ｂに対応する２重ダミー電極４４の電極ピッチｏを０．１４１３ｍｍ、傾斜部１９ｂに対応する２重ダミー電極４４の線幅ｐを０．０６５７ｍｍとして設計される。
【０１５３】
つぎに、信号電極引回し部４１の場合、図２３に示すように、引回し電極２３の直線部２３ａの電極ピッチｆを０．０８６０ｍｍ、直線部２３ａの線幅ｇを０．０４００ｍｍ、引回し電極２３の傾斜部２３ｂの電極ピッチｈを０．０７３２ｍｍ、傾斜部２３ｂの線幅ｉを０．０５７２ｍｍとして設計されるとともに、引回し電極２３の直線部２３ａに対応する２重ダミー電極４５の電極ピッチｑを０．０８６０ｍｍ、直線部２９ａに対応する２重ダミー電極４５の線幅ｒを０．０６７２ｍｍ、引回し電極２３の傾斜部２３ｂに対応する２重ダミー電極４５の電極ピッチｓを０．０７３２ｍｍ、傾斜部２３ｂに対応する２重ダミー電極４５の線幅ｔを０．０３４０ｍｍとして設計される。
【０１５４】
最後に、液晶封入口側電極部４３の場合、図２４に示すように、延設電極２５の電極ピッチｊを０．３５１０ｍｍ、延設電極２５の線幅ｋを０．２９３９ｍｍとして設計されるとともに、２重ダミー電極４６の電極ピッチｕを０．３５１０ｍｍ、２重ダミー電極４６の線幅ｖを０．１６３３ｍｍとして設計される。
【０１５５】
このようにして設計された、走査電極引回し部４２、信号電極引回し部４１および液晶封入口側電極部４３を有する、図２０に示すような、液晶表示装置での表示用電極およびダミー電極の介在率および重なり率は、以下の表５に示すようになる。
【０１５６】
【表５】
0003691196.tif 000006
【０１５７】
表５より、液晶表示装置の表示エリアの外周部の各辺のシール５上に存在する表示用電極およびダミー電極の介在率および重なり率が、ほぼ同一になっていることが分かる。この場合、介在率は、表示用電極および電極間ダミー電極の介在率と２重ダミー電極の介在率との和である。このときの表示用電極の配線抵抗は、各辺で均一となるように設計されている。
【０１５８】
そして、上記のように設計された表示用電極およびダミー電極を有する信号電極基板１と走査電極基板２を用いてＳＴＮ型カラー液晶表示装置を形成した結果、表示エリア外周部の４辺それぞれの明るさの濃淡が均一となった。さらに、シール５中に含まれるシール内スペーサ６のガラスビーズの直径を調整することによって、４辺全ての表示エリアのシール近傍の明るさの濃淡を、表示エリア中央部の明るさの濃淡に合わせることが可能となった。
【０１５９】
なお、各走査電極引回し部４２…および各信号電極引回し部４１…同士間のシール５上の空間に設けられたダミー電極の介在率および重なり率も上記の走査電極引回し部４２および信号電極引回し部４１の表示用電極およびダミー電極の介在率および重なり率、および液晶封入口側電極部４３の介在率および重なり率に合わせて４辺でほぼ同じになるように揃えている。
【０１６０】
上記の各実施例１〜３では、電極引回し部における電極のピッチを等間隔に設計した場合について説明したが、シール５における表示用電極およびダミー電極の介在率および重なり率のバラツキを４辺でほぼ同一にすることができるようにすれば、上記ピッチを等間隔にする必要はなく、ピッチが変動するものであっても同様の効果を得ることができる。
【０１６１】
以下に、上記の実施例１〜３に対する比較例として、シール５の４辺での表示用電極およびダミー電極の介在率および重なり率のバラツキを特に考慮しないで設計した液晶表示装置について説明する。
【０１６２】
〔比較例〕
本比較例では、従来の技術で説明した図３２に示す液晶表示装置の走査電極引回し部１４４、信号電極引回し部１４３、液晶封入口側電極部１４７の設計について説明する。なお、上記の走査電極引回し部１４４、信号電極引回し部１４３、液晶封入口側電極部１４７の構成は、前記の実施例２と同じであり、各電極ピッチおよび線幅が異なっているものとする。したがって、各部の説明図は、実施例２の図１４、図１６、図１８を用いる。
【０１６３】
まず、走査電極引回し部１４４の場合、図１４に示すように、引回し電極１９の直線部１９ａの電極ピッチａを０．２０００ｍｍ、直線部１９ａの線幅ｂを０．０７４５ｍｍ、電極間ダミー電極２０の線幅ｃを０．０９９３ｍｍ、引回し電極１９の傾斜部１９ｂの電極ピッチｄを０．１５３０ｍｍ、傾斜部１９ｂの線幅ｅを０．１３８０ｍｍとして設計されるとともに、引回し電極１９の直線部１９ａに対応する２重ダミー電極３４の電極ピッチｌを０．２０００ｍｍ、直線部１９ａに対応する２重ダミー電極３４の線幅ｍを０．０５４５ｍｍ、電極間ダミー電極２０に対応する２重ダミー電極３４の線幅ｎを０．０７９３ｍｍ、引回し電極１９の傾斜部１９ｂに対応する２重ダミー電極３４の電極ピッチｏを０．２０００ｍｍ、傾斜部１９ｂに対応する２重ダミー電極３４の線幅ｐを０．１１８０ｍｍとして設計される。
【０１６４】
つぎに、信号電極引回し部１４３の場合、図１６に示すように、引回し電極２３の直線部２３ａの電極ピッチｆを０．０７１０ｍｍ、直線部２３ａの線幅ｇを０．０４１６ｍｍ、引回し電極２３の傾斜部２３ｂの電極ピッチｈを０．０６９５ｍｍ、傾斜部２３ｂの線幅ｉを０．０５４４ｍｍとして設計されるとともに、引回し電極２３の直線部２３ａに対応する２重ダミー電極３４の電極ピッチｑを０．０７１０ｍｍ、直線部２９ａに対応する２重ダミー電極３４の線幅ｒを０．０２１６ｍｍ、引回し電極２３の傾斜部２３ｂに対応する２重ダミー電極３４の電極ピッチｓを０．０６９５ｍｍ、傾斜部２３ｂに対応する２重ダミー電極３４の線幅ｔを０．０３４４ｍｍとして設計される。
【０１６５】
最後に、液晶封入口側電極部１４７の場合、図１８に示すように、延設電極２５の電極ピッチｊを０．２７３０ｍｍ、延設電極２５の線幅ｋを０．２５３０ｍｍとして設計されるとともに、２重ダミー電極３６の電極ピッチｕを０．２７３０ｍｍ、２重ダミー電極３６の線幅ｖを０．２３３０ｍｍとして設計される。
【０１６６】
このようにして設計された、走査電極引回し部１４４、信号電極引回し部１４３および液晶封入口側電極部１４７を有する、図３２に示すような、液晶表示装置での表示用電極およびダミー電極の介在率および重なり率は、以下の表６に示すようになる。
【０１６７】
【表６】
0003691196.tif 000007
【０１６８】
表６より、液晶表示装置の表示エリアの外周部の各辺のシール５上に存在する表示用電極およびダミー電極の介在率および重なり率の値にバラツキが生じていることが分かる。この場合、介在率は、表示用電極および電極間ダミー電極の介在率と２重ダミー電極の介在率との和である。このときの表示用電極の配線抵抗は、各辺で均一となるように設計されている。
【０１６９】
そして、上記のように設計された表示用電極およびダミー電極を有する基板１４１・１４２を用いてＳＴＮ型カラー液晶表示装置を形成した結果、表示エリア外周部のシール１４５近傍の４辺それぞれの明るさの濃淡が不均一なもの（上辺と下辺は同レベル）となった。さらに、シール１４５中に含まれるシール内スペーサ６のガラスビーズの直径を調整することによっても、４辺全ての表示エリアのシール１４５近傍の明るさの濃淡を、表示エリア中央部の明るさの濃淡に合わせることが不可能であった。
【０１７０】
以上のことから、本発明のように、シール上に存在する表示用電極およびダミー電極の介在率および重なり率のバラツキを、表示エリアの４辺で所定値以下となるように、上記表示用電極およびダミー電極を形成することで、表示エリアの中央部とシール近傍との液晶層の厚みをほぼ均一にすることができる。これにより、液晶層の厚みの差により生じる明るさの濃淡のバラツキを無くすことができるので、表示品位を向上させることができる。
【０１７１】
なお、本発明の実施の形態および実施例では、液晶の特性のマージンが狭い、高表示品位、高速応答、高精細化、狭額縁を要求される液晶表示装置のうち、ＳＴＮ型カラー液晶表示装置に本発明を適用した場合について説明したが、これに限定されるものではなく、ＴＮ型の液晶表示装置においても適用可能であり、さらに他の方式の液晶表示装置にも適用可能である。
【０１７２】
また、上記した各実施の形態および実施例では、介在率および重なり率との両方が所定値内のバラツキを有するように説明したが、少なくとも重なり率が所定値内のバラツキとなるように設定すれば、シール内で支柱の役割を果たすことによりシールの厚みを決定しているガラスビーズの存在率がほぼ一定となり、シールの厚みを４辺でほぼ同一にすることができる。これにより、表示エリアのシール近傍の４辺での濃度ムラを低減することができるので、表示品位を向上させることができる。
【０１７３】
【発明の効果】
請求項１の発明の液晶表示装置は、以上のように、複数本の表示用電極が形成された一対の基板と、支柱の役割を果たすスペーサが含まれており、上記一対の基板の電極形成面を対向させて接続するためのシールと、上記一対の基板とシールとで囲まれた空間に液晶を封入して形成された液晶層と、上記液晶層の厚みを表示エリア内で均一化させるために上記一対の基板上に形成されたダミー電極とを有し、上記一対の基板に形成された対向する表示用電極は、線幅および電極ピッチが異なり、上記表示用電極およびダミー電極は、上記シール上の４辺に介在すると共に、上記表示用電極は、走査電極から上記シール部分を超えて延設された延設電極を有しており、互いに対向する電極が重なり合う領域の面積の上記シールにおける占有率を示す重なり率が上記シール上の４辺でほぼ同じになるように、上記延設電極および上記ダミー電極の線幅が上記走査電極の線幅より狭く形成されている構成である。
【０１７４】
それゆえ、シール上で、互いに対向する表示用電極およびダミー電極の重なり度合いを示す重なり率の４辺でのバラツキの絶対値が所定値以下となるように形成されているので、シール内で支柱の役割を果たすことによりシールの厚みを決定しているガラスビーズの存在率がほぼ一定となり、シールの厚みを４辺でほぼ同一にすることができる。これにより、表示エリアのシール近傍の４辺での濃度ムラを低減することができるので、表示品位を向上させることができるという効果を奏する。
【０１７５】
請求項２の発明の液晶表示装置は、以上のように、請求項１の構成に加えて、  上記表示エリア内からの表示用電極の電極引回し部は、外部回路との接続端子に対応するように複数のブロックに分割され、かつ、各ブロックの電極引回し部の電極が、表示エリア側よりも外部回路との接続端子側の方が配置密度が高くなるように形成されるとともに、上記一対の基板上に形成された表示用電極およびダミー電極のうち、表示エリア内の表示用電極および外部回路との接続端子に平行に形成された領域のシール上において対向する電極の重なり合う領域の面積の上記シールにおける占有率を示す重なり率と、上記領域以外のシール上において対向する電極の重なり合う領域の面積の上記シールにおける占有率を示す重なり率とが、上記４辺でほぼ同じになるように形成されている構成である。
【０１７６】
それゆえ、請求項１の構成による効果に加えて、表示用電極の電極引回し部が外部回路との接統端子に対応するように複数のブロックに分割され、かつ、表示エリア側の表示用引回し電極の配置密度よりも外部回路との接続端子側の表示用引回し電極の配置密度の方が高くなるように設計されることで、例えば、配線抵抗を所定値に保つために、有効表示エリア内の表示用電極と外部回路との接続端子を結ぶ電極引回し部のうち、有効表示エリア内の表示用電極に平行な領域と平行でない領域の電極幅を異ならせた場合でも、上記の有効表示エリア内の表示用電極と外部回路との接続端子を結ぶ電極引回し部のうち、有効表示エリア内の表示用電極に平行な領域と平行でない領域に対向する表示用電極およびダミー電極の重なり率のバラツキの絶対値が所定値以下となるように、表示用電極およびダミー電極を形成しているので、電極引回し部の１ブロックのうちの有効表示エリア内の表示用電極に平行な領域と平行でない領域の占有率の差による濃度ムラを低減することができ、さらに、４辺の重なり率が異なることによる濃度ムラを低減することができるという効果を奏する。
【０１７７】
請求項３の発明の液晶表示装置は、以上のように、請求項１または２の構成に加えて、上記ダミー電極は、表示用電極間に形成される電極間ダミー電極と、これら表示用電極および電極間ダミー電極が形成された基板の対向基板上に形成される２重ダミー電極とを含み、上記２重ダミー電極が、上記基板上の表示用電極および電極間ダミー電極に対向して形成される構成である。
【０１７８】
それゆえ、請求項１または２の構成による効果に加えて、基板に挟持されるシールを、上下２枚の基板とも電極を有する部分に対応するシールと、上下２枚の基板とも電極の無い部分に対応するシールとに分けることができる。つまり、一方の基板にのみ電極を有するシール部分を無くすことができる。これにより、シールに含まれるシール内スペーサのガラスビーズ等の厚み調整部材によって、シールの厚みの均一化を容易に行うことができる。しかも、シール上で対向する表示用電極およびダミー電極は、４辺での重なり率のバラツキの絶対値が所定値以下となるように形成されているので、シールの厚みを４辺でほぼ同一にすることが容易になるという効果を奏する。
【０１７９】
請求項４の発明の液晶表示装置は、以上のように、請求項３の構成に加えて、上記２重ダミー電極は、その線幅が対向する表示用電極および電極間ダミー電極の線幅と異なるように形成されている構成である。
【０１８０】
それゆえ、請求項３の構成による効果に加えて、２重ダミ一電極は、その線幅が対向する表示用電極および電極間ダミ一電極の線幅と所定値分だけ異なるように形成されていることで、表示用電極の配線抵抗値を所定値に保ちながら重なり率を調節することが可能となり、さらに、基板の貼り合わせ時の対向する電極同士のずれを吸収することができるという効果を奏する。
【０１８１】
請求項５の発明の液晶表示装置は、以上のように、請求項３または４の構成に加えて、上記重なり率が、対向する表示用電極と２重ダミー電極の重なり率と、対向する電極間ダミー電極と２重ダミー電極の重なり率との和であるという構成である。
【０１８２】
それゆえ、請求項３または４の構成による効果に加えて、対向する表示用電極およびダミー電極の重なり率が、対向する表示用電極と２重ダミー電極の重なり率と、電極間ダミー電極と２重ダミー電極の重なり率との和であることで、表示用電極と２重ダミー電極の重なり率と、電極間ダミー電極と２重ダミー電極の重なり率とがそれぞれ異なる値となっても、その和がシールの４辺でほぼ同一であればよいことになる。これにより、最終的にシールの全ての辺で表示用電極およびダミー電極の重なり率がほぼ同一となればよいため、表示用電極、電極間ダミー電極および２重ダミー電極の重なり率を全て均一にする必要がなくなる。したがって、液晶表示装置の電極の設計を容易にし、量産性を向上させることができるという効果を奏する。
【０１８３】
請求項６の発明の液晶表示装置は、以上のように、請求項１ないし５の何れかの構成に加えて、上記重なり率は、対向する電極の重なり部分のピッチに対する線幅の割合であるという構成である。
【０１８４】
それゆえ、請求項１ないし５の何れかの構成による効果に加えて、重なり率は、表示用電極およびダミー電極の形成ピッチに対する電極の線幅の割合であることで、実際に表示用電極およびダミー電極を基板上に形成するときの設計を容易にすることができるという効果を奏する。
【０１８５】
請求項７の発明の液晶表示装置は、以上のように、請求項１ないし６の何れかの構成に加えて、上記液晶表示装置の表示用電極およびダミー電極は、シール上の４辺に介在し、このシール上での上記電極が専有する割合を示す介在率が４辺でほぼ同じになるように形成されている構成である。
【０１８６】
それゆえ、請求項１ないし６の何れかの構成による効果に加えて、シール上での表示用電極およびダミー電極が専有する割合を示す介在率の４辺でのバラツキの絶対値が所定値以下となるように形成されることで、シール内スペーサのガラスビーズが、表示用電極とダミー電極とに挟持される部分、表示用電極またはダミー電極のみが存在する部分で挟持される部分、および上記の何れの電極も存在しない部分で挟持される部分の専有する割合の４辺でのバラツキの絶対値が所定値以下となり、シールの厚みを４辺でほぼ同一にすることができる。これにより、表示エリアのシール近傍の４辺での濃度ムラを低減することができるので、表示品位を向上させることができるという効果を奏する。
【図面の簡単な説明】
【図１】本発明の実施の形態に係る液晶表示装置の概略構成図である。
【図２】図１に示す液晶表示装置に設けられた走査電極引回し部の要部拡大図である。
【図３】図２に示す走査電極引回し部のＡ−Ａ線矢視断面図である。
【図４】図１に示す液晶表示装置に設けられた信号電極引回し部の要部拡大図である。
【図５】図４に示す信号電極引回し部のＢ−Ｂ線矢視断面図である。
【図６】図１に示す液晶表示装置に設けられた液晶封入口側電極部の要部拡大図である。
【図７】図６に示す液晶封入口側電極部のＣ−Ｃ線矢視断面図である。
【図８】図２に示す走査電極引回し部の中央付近の概略構成図である。
【図９】図２に示す走査電極引回し部の他の構成を示す概略構成図である。
【図１０】図１に示す液晶表示装置の概略断面図である。
【図１１】図１に示す液晶表示装置に設けられたカラーフィルタ層と信号電極および走査電極との関係を示す説明図である。
【図１２】重なり率の説明図である。
【図１３】本発明の他の実施の形態に係る液晶表示装置の概略構成図である。
【図１４】図１３に示す液晶表示装置に設けられた走査電極引回し部の要部拡大図である。
【図１５】図１４に示す走査電極引回し部のＤ−Ｄ線矢視断面図である。
【図１６】図１３に示す液晶表示装置に設けられた信号電極引回し部の要部拡大図である。
【図１７】図１６に示す信号電極引回し部のＥ−Ｅ線矢視断面図である。
【図１８】図１３に示す液晶表示装置に設けられた液晶封入口側電極部の要部拡大図である。
【図１９】図１８に示す液晶封入口側電極部のＦ−Ｆ線矢視断面図である。
【図２０】本発明のさらに他の実施の形態に係る液晶表示装置の概略構成図である。
【図２１】図２０に示す液晶表示装置に設けられた走査電極引回し部の要部拡大図である。
【図２２】図２１に示す走査電極引回し部のＧ−Ｇ線矢視断面図である。
【図２３】図２０に示す液晶表示装置に設けられた信号電極引回し部の要部拡大図である。
【図２４】図２０に示す液晶表示装置に設けられた液晶封入口側電極部の要部拡大図である。
【図２５】図１に示す液晶表示装置での濃度ムラを比較するための説明図である。
【図２６】図２５に示す説明図に基づいて測定した結果を示すグラフである。
【図２７】図２５に示す説明図に基づいて測定した結果を示すグラフである。
【図２８】従来の液晶表示装置の概略断面図である。
【図２９】従来の液晶表示装置の概略構成図である。
【図３０】従来の液晶表示装置の概略構成図である。
【図３１】従来の液晶表示装置の概略構成図である。
【図３２】従来の液晶表示装置の概略構成図である。
【図３３】従来の液晶表示装置におけるシール部分における概略断面図である。
【符号の説明】
１    信号電極基板（基板）
２    走査電極基板（基板）
３    信号電極
４    走査電極
５    シール
６    シール内スペーサ
７    絶縁膜
８    配向膜
９    液晶層
１０    セル内スペーサ
１１    オーバーコート層
１２    カラーフィルタ層
１３    ブラックマトリックス
１４    液晶封入口
１５    信号電極引回し部
１６    走査電極引回し部
１７    液晶封入口側電極部
１８    接続端子
１９    引回し電極（表示用電極）
２０    電極間ダミー電極（ダミー電極）
２１    ２重ダミー電極（ダミー電極）
２２    接続端子
２３    引回し電極（表示用電極）
２４    ２重ダミー電極（ダミー電極）
２５    延設電極（ダミー電極）
２６    ２重ダミー電極（ダミー電極）
３１    信号電極引回し部
３２    走査電極引回し部
３３    液晶封入口側電極部
３４    ２重ダミー電極（ダミー電極）
３５    ２重ダミー電極（ダミー電極）
３６    ２重ダミー電極（ダミー電極）
４１    信号電極引回し部
４２    走査電極引回し部
４３    液晶封入口側電極部
４４    ２重ダミー電極（ダミー電極）
４５    ２重ダミー電極（ダミー電極）
４６    ２重ダミー電極（ダミー電極）
【図１】
0003691196.tif 000008
【図２】
0003691196.tif 000009
【図３】
0003691196.tif 000010
【図４】
0003691196.tif 000011
【図５】
0003691196.tif 000012
【図６】
0003691196.tif 000013
【図７】
0003691196.tif 000014
【図８】
0003691196.tif 000015
【図９】
0003691196.tif 000016
【図１０】
0003691196.tif 000017
【図１１】
0003691196.tif 000018
【図１２】
0003691196.tif 000019
【図１３】
0003691196.tif 000020
【図１４】
0003691196.tif 000021
【図１５】
0003691196.tif 000022
【図１６】
0003691196.tif 000023
【図１７】
0003691196.tif 000024
【図１８】
0003691196.tif 000025
【図１９】
0003691196.tif 000026
【図２０】
0003691196.tif 000027
【図２１】
0003691196.tif 000028
【図２２】
0003691196.tif 000029
【図２３】
0003691196.tif 000030
【図２４】
0003691196.tif 000031
【図２５】
0003691196.tif 000032
【図２６】
0003691196.tif 000033
【図２７】
0003691196.tif 000034
【図２８】
0003691196.tif 000035
【図２９】
0003691196.tif 000036
【図３０】
0003691196.tif 000037
【図３１】
0003691196.tif 000038
【図３２】
0003691196.tif 000039
【図３３】
0003691196.tif 000040